(57)【要約】【課題】食品を把持して、串を刺したり外したりするのに適したトングを提供する。【解決手段】２つのアーム３の先端に形成される把持部７が有する凹み９の中央に、長い孔１３が形成される。この孔１３の前方部と把持部７の前縁部１７とを連通して、切り込み１５が形成される。孔１３の後方部には、第２切り込み１９が形成される。この構造により、両把持部の両凹みで、食品を挟んで把持し、孔１３を通して串２１を刺し、または、串２１を抜いて外すことができる。孔１３は前後方向に長い孔１３なので、左右方向の一致、不一致を確認しやすい。また、串２１を抜くときに、串２１との摩擦で、食品は、凹み９の中を前方へ移動する。この移動に追従して串２１は、孔１３から切込み１５へ移動できるので、無理なく、串２１を抜ける。同様に、串２１を刺すときに、串２１は、孔１３から第２切込みへ移動できるので、無理なく、串２１を刺せる。【選択図】図１
2014113351.tif 000002
【特許請求の範囲】
【請求項１】
バネ性によって開方向へ付勢され、手でつかんで開閉できる２つのアームと、各アームの先端に形成され、物を把持するための凹みを有する把持部と、この凹みの中央に形成され前後方向に長い孔と、この孔の前方部と前記把持部の前縁部とを連通して形成される切り込みと、を有してなることを特徴とするトング。
【請求項２】
前記孔の後方部に形成される第２切り込み、を有してなることを特徴とする請求項１に記載のトング。
【発明の詳細な説明】
【技術分野】
【０００１】
この発明は、食品などを挟んで扱うトングと呼ばれる道具の構造に関する。
【背景技術】
【０００２】
たとえば屋外でバーベキューを行う際に、炭に熱せられた網の上で、肉や野菜を扱うのにトングと呼ばれる道具を使用する。このトングは、２つのアームがバネ性によって開方向へ付勢され、手でつかんで開閉できる。各アームの先端は、物を把持するための把持部となる。
【０００３】
また、下記の特許文献１には、トングの先端の把持部に、複数の小さな孔が形成されているものが開示される。
【先行技術文献】
【特許文献】
【０００４】
【特許文献１】米国特許和文抄録５４４７３５１
【発明の概要】
【発明が解決しようとする課題】
【０００５】
発明者は、煮て味付けされた熱い１つまたは複数の菎蒻玉を、串に刺して、販売する際に、あるいは、既に串に刺した菎蒻玉を外して提供する際に、トングを使用して、菎蒻玉を把持することを工夫した。このトングを使用する前は、割箸を用いて、熱い菎蒻玉を押さえ、串を刺したり外したりする作業をしていたが、能率が上がらなかった。
【０００６】
しかしながら、通常の形状をしたトングでは、それほど能率が上がらないので、トングの形状を、食品に串を刺す作業に適した形状とすることで、より以上の能率を得ることが求められる。なお、串に刺す食品としては、菎蒻玉以外にも、焼鳥やおでん等いろいろの物があり、トングを使用するには、同様な、形状の工夫が望まれる。
【０００７】
この発明は、以上の問題点を解決するために、把持部に食品を把持して、串を刺したり外したりするのに適したトングを提供することを目的とする。
【課題を解決するための手段】
【０００８】
以上の課題を解決するために、第一発明は、バネ性によって開方向へ付勢され、手でつかんで開閉できる２つのアームと、各アームの先端に形成され、物を把持するための凹みを有する把持部と、この凹みの中央に形成され前後方向に長い孔と、この孔の前方部と前記把持部の前縁部とを連通して形成される切り込みと、を有してなるトングである。
【０００９】
第２発明は、さらに、前記孔の後方部に形成される第２切り込み、を有してなるトングである。
【発明の効果】
【００１０】
第一、又は第二発明によれば、両把持部の両凹みで、食品を挟んで把持し、孔を通して串を刺すことができる。または、孔を通して串を抜いて外すことができる。
そして、串を刺すときに、両凹みの両孔が一致していることを、目視で確認する。両孔の不一致は、トングのねじれによる左右の動きによって、左右方向の不一致として生じるが、孔は前後方向に長い孔なので、左右方向の一致、不一致を確認しやすく、したがって容易に一致させることができる。
【００１１】
さらに、作業者の両腕の動きにより、串を抜くときに、串との摩擦で、食品は、凹みの中を前方へ移動する。この移動に追従して串は、孔から切込みへ移動できるので、無理なく、串を抜く作業が行える。
第二発明によれば、さらに、作業者の両腕の動きにより、串を刺すときに、串との摩擦で、食品は、凹みの中を後方へ移動する。この移動に追従して串は、孔から第２切込みへ移動できるので、無理なく、串を刺す作業が行える。
【図面の簡単な説明】
【００１２】
【図１】（Ａ）は、この発明の一実施形態を示すトングの斜視図、（Ｂ）（Ｃ）は、（Ａ）のトングの凹みと切込みの機能を、一部を点線にして示す側面図である。
【図２】（Ａ）は、図１（Ａ）に示すトングの長い孔の機能を、一部を点線にして示す平面図、（Ｂ）は、（Ａ）の要部を取り出して示す拡大図、（Ｃ）は、（Ｂ）の機能を説明するための比較例を示す拡大図である。
【図３】この発明の一実施形態を示すトングの斜視図である。
【発明を実施するための形態】
【００１３】
この発明の実施形態を、図１及び図２に示す。
このトング１の２つのアーム３は木製で、後端が、Ｕ字状の金属板５の両端に連結されている。この金属板５のバネ性により、２つのアーム３は開方向へ付勢される。２つのアーム３を、作業者が手強くつかめば閉じ、緩くつかめば開く。
このようにして開閉できる２つのアーム３の各先端には、広がった把持部７が形成され、食品を把持する。把持部７は、全体的に、卵形の一部の曲面に似た凹み９を有する。２つの凹み９が食品を包むようにして把持が行われる。この凹み９の周囲には、植物のヤツデの葉に似た複数の指部１１が形成され、食品を把持する際に摩擦を大きくし、把持しやすくなる。
【００１４】
また、凹み９の中央には、前後方向に長い孔１３が形成される。この孔１３は、楕円形に近い形状をなし、把持する食品より小さく、串よりも大きい。この孔１３の前方部には、切込み１５が形成され、把持部７の前縁部１７と連通する。
さらに、孔１３の後方部には、第２切り込み１９が形成される。この第２切り込み１９、孔１３、切込み１５は、前後方向に、直線的に配置され、串の横方向の移動を可能にする。
「実施形態の効果」
以上の実施形態によれば、作業者は一方の手でトング１をつかみ、他方の手で串２１を持ち、図１（Ｃ）に示すように、トング１の両把持部が有する両凹み９で、食品である菎蒻玉２３を挟んで把持し、両孔１３を通して、串２１を菎蒻玉２３に刺し貫通させることができる。または、図１（Ｂ）に示すように、貫通していた串２１を、孔１３を通して抜いて外すことができる。
【００１５】
その際に、図１（Ｂ）に示すように、串２１を抜くときには、作業者の両腕の動きは左右に広がるように動き、このため、串２１との摩擦で、食品は引っ張られて、凹み９の中を前方へ移動する。この前方の移動に追従して串２１は、孔１３から前方の切込み１５へ移動できるので、無理なく、串２１を抜く作業が続けられ、容易に抜くことができる。
【００１６】
さらに、図１（Ｃ）に示すように、串２１を刺すときには、作業者の両腕の動きは左右から中央へ狭まるように動き、このため、串２１との摩擦で、食品は、凹み９の中を後方へ、すなわち奥側へ移動する。この移動に追従して串２１は、孔１３から第２切込み１９へ移動できるので、無理なく、串２１を刺す作業が続けられ、容易に貫通させることができる。
【００１７】
そして、串２１を刺すときに、図２（Ａ）に示すように、両凹みの両孔１９が一致していることを、目視で確認する。この図において、一方を実線で、他方を一点鎖線で表す。もともと両孔１９の不一致は、トング１のねじれ、特に金属板５のねじれによる左右の動きによって、左右方向の不一致として生じる。しかし、図２（Ｂ）に示すように、孔１３は前後方向に長い孔１３なので、左右方向の一致、不一致が、孔１３の左右縁の長い部分Ｌ１に表われる。このため、左右方向の一致、不一致を確認しやすい。不一致であれば、作業者がつかんでいる２つのアーム３を微妙に左右にずらすことで、容易に一致させることができる。
これに対し、仮に、図２（Ｃ）に示すように、孔が前後方向に短い孔１４であったならば、左右方向の一致、不一致は、孔１４の左右縁の短い部分Ｌ２にだけ表われる。このため、左右方向の一致、不一致を確認しにくい。
【００１８】
このように容易に食品に串２１を刺し、または食品から串２１を外すことができ、子供や女性、さらには手の不柔な人にも、作業が行える。
「他の実施形態」
以上の実施形態では、バネ性はＵ字状の金属板５によるものであったが、他の実施形態では、他の手段でバネ性を発揮するいろいろのものが採用できる。たとえば、コイルバネや、アーム３と一体の金属部分などでも良い。
【００１９】
以上の実施形態では、把持部７は、植物のヤツデの葉に似た複数の指部１１が形成されるものであったが、他の実施形態では、図３に示すように、そのような指部１１がないものでも、本発明を実施できる。
また、以上の実施形態では、両把持部は、ほぼ同じ形状であったが、他の実施形態では、別々の形状でも構わない。
【符号の説明】
【００２０】
１…トング、３…アーム、５…金属板、７…把持部、９…凹み、１１…指部、１３…孔、１５…切込み、１７…前縁部、１９…第２切り込み、２１…串、２３…菎蒻玉。
【図１】
2014113351.tif 000003
【図２】
2014113351.tif 000004
【図３】
2014113351.tif 000005